(57)【要約】      （修正有）【課題】腋当てが身体から離れる危険性を防止でき、また、使用者の体型に合わせて本体の長さなどを調整できる杖を提供する。【解決手段】杖本体の腋当て下面に腕ガイドを取り付ける。【選択図】図２
0003170977.tif 000002
【実用新案登録請求の範囲】
【請求項１】
１  湾曲した杖本体１にずれ防止の為に腋当て５の下に腕ガイド７を備えたことを特徴とする杖
【考案の詳細な説明】
【技術分野】
【０００１】疾病又は事故による歩行困難者のための杖に属する。
【背景技術】
【０００２】松葉杖はその名が示すように、松葉に似た形状をしているが、腋当ての巾から握手の巾までの杖の広がりは必要でない。【０００３】素材に白木と綿布を使用したものや、アルミニュウムとレザーとを使用したものが一般的であるが、購入価格を配慮してか、いずれも必要最低限の素材及び、加工である。
【先行技術文献】
【０００４】  特  開  ２００９−２７３５６５  杖に支足を付加したもの。
【０００５】  特  開  ２００７−１４６１５８  杖の接地する部分を大きくしたもの。
【考案の概要】
【考案が解決しようとする課題】
【０００６】従来の松葉杖は、腋当ての部分にずれ防止が無く体重移動の際に腋当てから離れる危険性がある。【０００７】従来の松葉杖葉、木製のものや、アルミニュウム製のものがあるが、何れもデザイン性に問題がある。【０００８】従来の松葉杖は、腋当ての部分や、握手の部分が一定であり、使用者の体型に合わせるための調節ができない。
【考案が解決するための手段】
【０００９】本考案は、人間が古来より馴染んできた木材を主材とし、形状的には美し使いやすさを追求した杖である。
機能としては、体型に合わせることが出来るように、杖全体の長さ、握手４の位置、角度、腋当て５の角度、の調整ができるようにした。
【００１０】握力の弱い方等、従来の松葉杖を使用するのが不安な方のために  湾曲した杖本体１にずれ防上の為に腋当て５の下に腕ガイド７を備えたこと特徴とする杖である。
【００１１】使用する際、無用に身体から離れた位置に杖先をつかないで済むように、握手６を杖本体１の外側に配置した。
【考案の効果】
【００１２】本考案のステッキは、腕ガイド７を装備したことにより、杖の上部である腋当て５が身体から離れる危険性を防止できた。
【００１３】本考案のステッキは、ステッキ本体１の長さの調整ほか、腋当て５の角度や、握手６の位置を調整できるようにしたことにより、使用者の体型に合わせることができた。
【００１４】本考案のステッキは、木を主材としているので、人に優しい。
【００１５】杖本体１に、湾曲をつけ、８角形を序除に細くした形状としたことにより、デザイン性を向上させた。
【図面の簡単な説明】
【図１】図１はデザインステッキ全体の概要図である。
【考案を実施するための形態】
【実施例】
【産業上利用の可能性】
【符号の説明】
0003170977.tif 000003
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
一本足ステッキに体のずれ防止の為、腋あて（図３▲６▼）を腕ガイドとして備えたことを特徴とする杖
【手続補正２】
【補正対象書類名】図面
【補正対象項目名】全図
【補正方法】変更
【補正の内容】
【図１】
0003170977.tif 000004
【図２】
0003170977.tif 000005
【図３】
0003170977.tif 000006
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
湾曲した杖本体（▲１▼）にずれ防止の為に腕宛（▲５▼）の下に腕ガイド（▲６▼）を備えたことを特徴とした  デザインステッキ
【手続補正２】
【補正対象書類名】明細書
【補正対象項目名】全文
【補正方法】変更
【補正の内容】
【考案の詳細な説明】
【技術分野】
【０００１】疾病又は事故による歩行困難者のための杖に属する。
【背景技術】
【０００２】松葉杖はその名が示すように、松葉に似た形状をしているが、腋当ての巾から握手の巾までの杖の広がりは必要でない。【０００３】素材に白木と綿布を使用したものや、アルミニュウムとレザーとを使用したものが一般的であるが、購入価格を配慮してか、いずれも必要最低限の素材及び、加工である。
【選考技術文献】
【０００４】  特  開  ２００９−２７３５６５  杖に支足を付加したもの。
【０００５】  特  開  ２００７−１４６１５８  杖の接地する部分を大きくしたもの。
【考案の概要】
【考案が解決しようとする課題】
【０００６】従来の松葉杖は、腋当ての部分にずれ防止が無く体重移動の際に腋当てから離れる危険性がある。【０００７】従来の松葉杖、木製のものや、アルミニュウム製のものがあるが、何れもデザイン性に問題がある。【０００８】従来の松葉杖は、腋当ての部分や、握手の部分が一定であり、使用者の体型に合わせるための調整ができない。
【考案が解決するための手段】
【０００９】本考案は、人間が古来より馴染んできた木材を主材年、形状的には美しく使いやすさを追求した杖である。
機能としては、体型に合わせることが出来るように、杖全体の長さ、握手（▲７▼）の位置、角度、腋当て（▲５▼）の角度、の調整が出来るようにした。
【００１０】握力の弱い方等、従来の松葉杖を使用するのが不安な方のために、湾曲した杖本体１にずれ防止のために腋当て（▲５▼）の下に腕ガイド（▲６▼）を備えたことを特徴とする杖である。
【００１１】使用する際、無用に身体から離れた位置に杖先をつかないですむように、握手（▲７▼）を杖本体（▲１▼）の外側に配置した。
【考案の効果】
【００１２】本考案のステッキは、腕ガイド（▲６▼）を装備したことにより、杖の上部である腋当て（▲５▼）が身体から離れる危険性を防止できた。
【００１３】本考案のステッキは、ステッキ本体（▲１▼）の長さの調整ほか、腋当て（▲５▼）の角度や、握手（▲７▼）の位置を調整できるようにしたことにより、使用者の体型の合わせることが出来た。
【００１４】本考案のステッキは、木を主材としているので、人に優しい。
【００１５】杖本体（▲１▼）に、湾曲をつけ、８角形を序除に細かくした形状（▲４▼）としたことにより、デザイン性を向上させた。
【図面の簡単な説明】
【００１６】
【図１】図１はデザインステッキ全体の概要図である。
【図２】図２は各部材の固定方法及び詳細図である
【図３】図３は腕ガイド（▲６▼）の平面図
【符号の説明】
【００１７】１、全体図：足部を含む全体の形状
２、布カバー、クッションを含まない上部の形状
３、布カバー、クッション：リンパ腺を圧迫しないためのクッションとカバー
４、断面方向
５、腋あて：クッションの角度、腕ガイドを固定するための部材
６、腕ガイド：腋を固定するための部材
７、握手：高さ調整できる
８、足：自在に穴の位置を調整  高さは７段階ある
【手続補正書】
【提出日】平成23年2月10日(2011.2.10)
【手続補正１】
【補正対象書類名】実用新案登録請求の範囲
【補正対象項目名】全文
【補正方法】変更
【補正の内容】
【実用新案登録請求の範囲】
【請求項１】
杖本体の腋当て下面に腕ガイドを取付けたことを特徴とする杖。
【手続補正２】
【補正対象書類名】明細書
【補正対象項目名】全文
【補正方法】変更
【補正の内容】
【考案の詳細な説明】
【技術分野】
【０００１】疾病又は事故による歩行困難者のための杖に属する。
【背景技術】
【０００２】松葉杖はその名が示すように、松葉に似た形状をしているが、腋当ての巾から握手の巾までの杖の広がりは必要でない。【０００３】  松葉杖の素材に白木と綿布を使用したものや、アルミニュウムとレザーとを使用したものが一般的であるが、購入価格を配慮してか、いずれも必要最低限の素材及び、加工である。
【先行技術文献】
【特許文献】
【０００４】
【特許文献１】特開２００９−２７３５６５公開公報（杖に支足を付加したもの。）
【０００５】
【特許文献２】特開２００７−１４６１５８公開公報（杖の接地部を大きくしたもの）
【考案の概要】
【考案が解決しようとする課題】
【０００６】従来の松葉杖は、腋当ての部分にずれ防止が無く体重移動の際に腋当てから離れる危険性がある。【０００７】従来の松葉杖、木製のものや、アルミニュウム製のものがあるが、何れもデザイン性に問題がある。【０００８】従来の松葉杖は、腋当ての部分や、握手の部分が一定であり、使用者の体型に合わせるための調整ができない。
【考案が解決するための手段】
【０００９】本考案は、杖本体の腋当て下面に腕ガイドを取付けたことを特徴とする杖で、更に、杖本体の足に木丸棒を取付けたことを特徴とする杖である。
人間が古来より馴染んできた木材を主材年、形状的には美しく使いやすさを追求した杖である。機能としては、体型に合わせることが出来るように、杖全体の長さ、握手の位置、角度、腋当ての角度、の調整が出来るようにした。
【００１０】握力の弱い方等、従来の松葉杖を使用するのが不安な方のために、湾曲した杖本体にずれ防止のために腋当ての下に腕ガイドを備えたことを特徴とする杖である。
【００１１】使用する際、無用に身体から離れた位置に杖先をつかないですむように、握手を杖本体の外側に配置した。。
【考案の効果】
【００１２】本考案のステッキ（杖：以下ステッキと呼称）は、腕ガイドを装備したことにより、杖の上部である腋当てが身体から離れる危険性を防止できた。
【００１３】本考案のステッキは、杖本体の足に木丸棒を取付けたので、ステッキ本体の長さの調整ほか、腋当ての角度や、握手の位置を調整できるようにしたことにより、使用者の体型に合わせることが出来た。
【図面の簡単な説明】
【００１４】
【図１】図１はデザインステッキ全体の概要図である。
【図２】図１のＡ部の拡大詳細図である
【考案を実施するための形態】
【００１５】  以下、図１から図２を参照して、具体的実施例につき説明する。
【考案を実施するための形態】
【実施例】
【００１６】図１と図２に図示する如く、握力の弱い方等、従来の松葉杖を使用するのが不安な方のために、湾曲した杖本体にずれ防止のために、杖本体の腋当て５下面に腕ガイド６を取付けた。更に、杖本体の足８に木丸棒４を取付けことを特徴とする杖である。また、人間が古来より馴染んできた木材を主材、形状的には美しく使いやすさを追求した杖である。従って、機能としては、体型に合わせることが出来るように、杖全体の長さ、握手の位置、角度、腋当ての角度、の調整が出来るようにした。図中の符号で、３は布カバー、８は、足（自在に穴の位置を調整  高さは７段階ある）を図示している。【００１７】なお、本考案のステッキを使用する際、無用に身体から離れた位置に杖先をつかないですむように、握手７を杖本体の外側に配置した。
【考案の効果】
【００１８】本考案のステッキは、腕ガイド６を装備したことにより、杖の上部である腋当て５が身体から離れる危険性を防止できた。
【００１９】本考案のステッキは、杖本体の中途部に杖の長さ調整機構の木丸棒４を取付けたので、ステッキ本体の長さの調整ほか、腋当ての角度や、握手の位置を調整できるようにしたことにより、使用者の体型に合わせることが出来た。
【００２０】本考案のステッキは、木を主材としているので、人に優しい。
【００２１】杖本体に、湾曲をつけ、８角形を序除に細かくした形状としたことにより、デザイン性を向上させた。
【符号の説明】
【００２２】  ３  布カバー
４  木丸棒
５  腋あて（クッションの角度、腕ガイドを固定するための部材）
６  腕ガイド（腋を固定するための部材）
７  握手（高さ調整できる）
８  杖の足（自在に穴の位置を調整  高さは７段階ある）
【手続補正３】
【補正対象書類名】図面
【補正対象項目名】全図
【補正方法】変更
【補正の内容】
【図１】
0003170977.tif 000007
【図２】
0003170977.tif 000008